(57)【要約】【課題】ドロップケーブルを既設の光クロージャの幹線光ケーブルに接続する作業を、幹線光ケーブル側の光配線部品に接触する恐れなく行える光クロージャを提供する。【解決手段】幹線光ケーブル（第１光ケーブル）１から取り出した光ファイバ４とドロップケーブル（第２光ケーブル）１９とをコネクタ接続するためのアダプタ１８を、接続部収納トレイ１１上の概ねクロージャ長手方向中央近傍に設け、接続部収納トレイにクロージャ長手方向にスライド可能なカバー１５を設ける。カバー１５は、一方側にスライドさせた時は接続部収納トレイのアダプタ部より一方側領域を覆い、他方側にスライドさせた時は接続部収納トレイのアダプタ部より他方側領域を覆う。ドロップケーブルの光コネクタ１７をアダプタ１８に嵌合させる際に、カバーを幹線側ファイバ導入側（図１の右側）にスライドさせると、幹線光ケーブル側の光配線部品に接触する恐れなく接続作業を行える。【選択図】図１
2009008960.tif 000002
【特許請求の範囲】
【請求項１】
クロージャケースと、このケース内に収納された接続部収納トレイよりなる光クロージャであって、第１の光ケーブルの光ファイバと第２の光ケーブルの光ファイバとをコネクタ接続するためのアダプタを、接続部収納トレイ上の概ねクロージャ長手方向中央近傍に設け、アダプタの挿入口の向きは接続部収納トレイの長手方向に向かうように取り揃えられており、前記接続部収納トレイ内部を覆うカバーを設け、前記カバーはクロージャ長手方向にスライド可能カバーであり、さらに、カバー一方側にスライドさせた時は接続部収納トレイの前記アダプタ部より一方側領域を覆い、他方側にスライドさせた時は接続部収納トレイの前記アダプタ部より他方側領域を覆うことができる形状であることを特徴とする光クロージャ。
【請求項２】
前記接続部収納トレイは、底板の輪郭に沿うように立設された側壁を有し、
この側壁は、トレイの幅方向両側の互いに平行な平行部と、クロージャ長手方向両側に設けられた湾曲する湾曲部とからなり、
前記カバーは、互いに平行な壁部を両側に有する下向きコ字形断面形状をなし、接続部収納トレイ側から立設された前記側壁の平行部にガイドされてクロージャ長手方向にスライド可能であることを特徴とする請求項１記載の光クロージャ。
【請求項３】
前記第１の光ケーブルが単スロットケーブルであることを特徴とする請求項１又は２記載の光クロージャ。
【発明の詳細な説明】
【技術分野】
【０００１】
この発明は、光ケーブル接続部を筐体内に収納封止して保護する光クロージャに関し、特に、単スロットケーブル（Ｃ型スロットケーブル）のような少心線の幹線光ケーブルからの引き落としに用いて好適な光クロージャに関する。
【背景技術】
【０００２】
光通信網において、加入者への引き落としは、通常は、光通信線路に設けた光クロージャからドロップケーブル（分岐光ケーブル）を用いて行われる。また、局から光クロージャまでは一般に、スロットロッドに複数のスロットを設けたマルチスロット型スロットケーブル等の集合光ケーブルを用いた先行配線が行われている。光クロージャ内では、光コネクタや融着やメカニカルスプライスによる接続により、ドロツプケーブルと幹線光ケーブルから取り出した光ファイバとの接続がなされる。
一方、加入者の分布密度が小さい地域等への光配線には、マルチスロット型の集合ケーブルではなく、図５に断面を示すような単スロット(Ｃ型スロット)ケーブル１により先行配線が行われようとしている。このＣ型スロットケーブル１は、スロットロッド２に設けた１つのスロット２ａに光ファイバテープ心線などの光ファイバ４を収納する構造である。
【０００３】
少心線の幹線光ケーブルに適した簡易な光クロージャで特に中間後分岐用の光クロージャとしては、特許文献１に記載された構造のものがある。
特許文献１の実施例で示された光クロージャは、幹線光ケーブルの光ファイバとドロップケーブルの光ファイバとを光コネクタで接続する方式の光クロージャであるが、ドロップケーブルの光ファイバの余長を収納する余長収納トレイ（ドロップトレイ）と、光ファイバのコネクタ接続を切り替えるための切り替え接続部を収納する切り替え接続部収納トレイ（ＭＴトレイ）とを備えた構造である。
このように、光ファイバの余長を収納する部分（余長収納トレイ）と、切り替え接続部を収納する部分（切り替え接続部収納トレイ）とを分けた構成としているため、コネクタ接続の切り替えを行う際には、光ファイバの再配線を行わずに（すなわち、余長収納トレイから光ファイバの余長を引き出すことなく）、切り替え接続部収納トレイにおいてコネクタ接続を切り替えることができ、したがって、後分岐作業すなわち中間後分岐した光ファイバの切り替え作業が容易である、という効果を持つ。
【特許文献１】特開２００５−１１４８３１（中間後分岐用クロージャ）
【発明の開示】
【発明が解決しようとする課題】
【０００４】
一般に、ドロップケーブルを引き落とす引落し工事会社と光クロージャを敷設するクロージャ敷設工事会社とが別である場合が多いため、１つの光クロージャにおける引落し工事会社とクロージャ敷設工事会社の工事責任を明確にすることが適切である。特に引落し工事会社には、ドロップケーブル接続作業の際に、クロージャ敷設工事会社が管理する光配線部品には接触したくないという要望が非常に多い。
【０００５】
特許文献１記載の光クロージャでは、幹線光ケーブルの光ファイバとドロップケーブルの光ファイバとを接続する光コネクタを切り替え接続部収納トレイ上のホルダ部（切り替え接続部固定部）に固定する構成であり、そして、その切り替え接続部収納トレイは開放されているため、引き落とし工事の際に、幹線光ケーブルの光ファイバの先端を動かすことになり、このため、クロージャ敷設工事会社と引落し工事会社との工事責任の明確化ができない。
【０００６】
幹線光ケーブルの光ファイバとドロップケーブルの光ファイバとを光コネクタで接続する方式の光クロージャでは、光クロージャ内に光レセプタクルを配置し、光レセプタクルの一方側に幹線光ケーブルから分岐した心線の先端をコネクタ成端したものを接続しておき、光レセプタクルの他方側にはドロップケーブルを接続する構造とする場合がある。
このように光クロージャ内に光レセプタクルを設置することにより、引き落とし工事の際に、引落し工事業者が幹線光ケーブル側の光配線部品（すなわちクロージャ敷設工事会社側の領域）に接触する心配が少なくなるという利点がある。また、工事責任が明確になるため、不要なトラブル発生のおそれが少なくなる。
【０００７】
この種の従来の光クロージャでは、単に光レセプタクルを光クロージャ内部に配置したというだけのものであり、クロージャ筐体の蓋を開放すれば、幹線光ケーブル側の光配線部品も作業面に露出してしまう構造である。したがって、引落し工事の際に、幹線光ケーブル側の光配線部品にも接触する恐れがあり、工事責任の明確化という点では不十分である。
【０００８】
本発明は上記事情に鑑みてなされたもので、ドロップケーブルを既設の光クロージャの幹線光ケーブルと接続する際に、幹線光ケーブル側の光配線部品に接触する恐れなく接続作業を行うことのできる光クロージャを提供することを目的とする。
【課題を解決するための手段】
【０００９】
上記課題を解決する本発明は、クロージャケースと、このケース内に収納された接続部収納トレイよりなる光クロージャであって、第１の光ケーブルの光ファイバと第２の光ケーブルの光ファイバとをコネクタ接続するためのアダプタを、接続部収納トレイ上の概ねクロージャ長手方向中央近傍に設け、アダプタの挿入口の向きは接続部収納トレイの長手方向に向かうように取り揃えられており、前記接続部収納トレイ内部を覆うカバーを設け、前記カバーはクロージャ長手方向にスライド可能カバーであり、さらに、カバー一方側にスライドさせた時は接続部収納トレイの前記アダプタ部より一方側領域を覆い、他方側にスライドさせた時は接続部収納トレイの前記アダプタ部より他方側領域を覆うことができる形状であることを特徴とする。
【００１０】
請求項２は、請求項１の光クロージャにおいて、前記接続部収納トレイは、底板の輪郭に沿うように立設された側壁を有し、この側壁は、トレイの幅方向両側の互いに平行な平行部と、クロージャ長手方向両側に設けられた湾曲する湾曲部とからなり、前記カバーは、互いに平行な壁部を両側に有する下向きコ字形断面形状をなし、接続部収納トレイ側から立設された前記側壁の平行部にガイドされてクロージャ長手方向にスライド可能であることを特徴とする。
【００１１】
請求項３は、請求項１又は２の光クロージャにおいて、幹線光ケーブルが単スロットケーブルであることを特徴とする。
【発明の効果】
【００１２】
本発明によれば、例えば第１の光ケーブルが幹線光ケーブル、第２の光ケーブルが分岐光ケーブルであるとすると、分岐光ケーブル例えばドロップケーブルを幹線光ケーブル側の光ファイバと接続する際、カバーを接続部収納トレイの一方側、例えば幹線側ファイバ導入側（幹線光ケーブルの光ファイバを導入する側）にスライドさせると、接続部収納トレイの幹線側ファイバ導入側領域が閉塞され、接続部収納トレイのドロップケーブル導入側（ドロップケーブルを導入する側）領域が開放される。したがって、幹線側ファイバ導入側領域にある光配線部品に接触する恐れなく、ドロップケーブルを幹線光ケーブル側の光ファイバとコネクタ接続する作業を行うことができる。
また、カバーをドロップケーブル導入側にスライドさせると、接続部収納トレイのドロップケーブル導入側領域が閉塞され、幹線側ファイバ導入側領域が開放される。したがって、ドロップケーブル導入側領域にある光配線部品に接触する恐れなく、幹線側ファイバ導入側領域にある光配線部品に対する作業を行うことができる。
このように、カバーをスライドさせるだけで、引落し工事会社の作業領域及びクロージャ敷設工事会社の作業領域の一方のみを露出させることができるので、それぞれの工事会社の作業に際して、他の工事会社の作業領域の光配線部品に触れることなく作業を行うことができ、工事責任の明確化が有効に実現される。
【００１３】
また、請求項２によれば、カバーが簡単な形状であり、接続部収納トレイに単に被せて取り付けられるので、安価に製作できるとともに、着脱が容易である。
【発明を実施するための最良の形態】
【００１４】
以下、本発明を実施した光クロージャについて、図面を参照して説明する。
【実施例１】
【００１５】
図１は本発明の一実施例の光クロージャにおける接続部収納トレイ１１を、後述するカバー（本発明では、カバーの大きさによってはハーフカバーという場合がある）１５を一方側にスライドさせた状態で示した斜視図、図２は図１の接続部収納トレイ１１を、カバー１５を他方側にスライドさせた状態で示した斜視図、図３は接続部収納トレイ１１を、カバー１５を外した状態で示した斜視図、図４は接続部収納トレイ１１をクロージャケース２７内に収容した光クロージャ２２の概略内部構造を示す図である。
この接続部収納トレイ１１は、全体として中間部が充分長い長円状で両端部に切欠き１２ａを持つ底板１２の両端部を除く周囲に側壁１３を備えており、底板１２のクロージャ長手方向の中央近傍に、図４にも示すように、幹線光ケーブル（第１の光ケーブル）１から取り出した光ファイバ４とドロップケーブル（分岐光ケーブル、第２の光ケーブル）１９の光ファイバとをコネクタ接続するための図示例では４つのアダプタ１８を設けている。アダプタは接続部収納トレイ幅方向に並べて取り付けられており、アダプタの挿入口の向きは接続部収納トレイの長手方向に向かうように取り揃えられている。
【００１６】
図示例の幹線光ケーブル１は、図５で説明したＣ型スロットケーブルであり、スロットロッド２に設けた１つのスロット２ａに光ファイバテープ心線などの光ファイバ４を収納する構造である。３はシースである。図示例のスロットロッド２のスロット２ａはＳＺ螺旋状であり、幹線光ケーブル１の光ファイバ４を、スロットロッド２の切断を要せずに余長をもって取り出すことができ、中間後分岐接続が可能である。
【００１７】
この幹線光ケーブル１から取り出した光ファイバ４の先端には光コネクタ１６が取り付けられており、接続部収納トレイ１１の下方を通って幹線側ファイバ導入側（図１〜図３で概ね右側）の切欠き１２ａから接続部収納トレイ１１内に導入され、前記アダプタ１８に嵌合している。接続部収納トレイ１１における、幹線光ケーブル１の光ファイバ４を導入する側（図１〜図３で概ね右側）を幹線側ファイバ導入側と呼ぶ。
一方、ドロップケーブル１９は、幹線側ファイバ導入側と反対のドロップケーブル導入側（図１〜図３で概ね左側）から接続部収納トレイ１１内に導入され、先端に取り付けた光コネクタ１７をアダプタ１８に嵌合させて、幹線光ケーブル１側の光コネクタ１７と光接続する。なお、ここで用いられる光コネクタの型式は限定しないが、アダプタを介して接続可能な型式のものが好適に用いられる。
【００１８】
本発明では、接続部収納トレイ１１に、クロージャ長手方向（図１〜図３で概ね左右方向）にスライド可能なカバー１５を設けている。この実施例のカバー１５は、接続部収納トレイの長手方向全長を覆うことができない程度の大きさである。
図１に示すように幹線側ファイバ導入側（図１で概ね右側）にスライドさせた時は接続部収納トレイ１１の概ね半分すなわちアダプタ部１８より幹線側ファイバ導入側領域を覆い、図２に示すようにドロップケーブル導入側（図２で概ね左側）にスライドさせた時は接続部収納トレイ１１の概ね半分すなわちアダプタ部１８よりドロップケーブル導入側領域を覆うことができる形状である。
アダプタ部を接続部収納トレイの中央近傍に配置すれば、接続部収納トレイの半分を覆う大きさであり、ハーフカバーということができる。
図示例のカバー１５は、上面から見て長方形であり、接続部収納トレイ１１のトレイ幅方向両側の側壁１３の外面に沿う互いに平行な壁部１５ａを両側に有する下向きコ字形断面形状である。ただし、カバー１５の大きさ（長さ）は、本実施例には限定されず、接続部収納トレイの全長を閉塞する大きさであってもよい。
接続部収納トレイ１１の、底板１２の輪郭に沿うように立設された側壁１３、１３が、トレイの幅方向両側の互いに平行な平行部１３ａと、クロージャ長手方向両側に設けられた湾曲する湾曲部１３ｂとからなり、カバー１５は前記の通り、互いに平行な壁部１５ａを両側に有する下向きコ字形断面形状をなし、トレイ１１の側壁１３、１３の平行部１３ａ、１３ａにガイドされてクロージャ長手方向にスライド可能となっている。
【００１９】
図４は前記接続部収納トレイ１１を収納した光クロージャ２２の内部構造の一例を概略示すもので、前記接続部収納トレイ１１は連結棒２３に取り付けられ、連結棒２３の両端部にケーブル把持金具２４及びドロップケーブル把持部２５が取り付けられ、前記ケーブル把持金具２４に水平なアーム２６が固定され、これら全体がクロージャケース２７内に収容されるとともに、両端面に配した端面板２８により封止され、アーム２６に取り付けた吊り金具２９にて支持線３０に吊持されている。
図示したケーブル把持金具２４、ドロップケーブル把持部２５、アーム２６、端面板２８、支持金具２９等は簡略化して示したものであり、その構造は任意である。
【００２０】
引落し工事会社が上記の光クロージャ２２からドロップケーブルを引き落とす場合、すなわちドロップケーブル１９を幹線光ケーブル１側の光ファイバ４に接続する場合、クロージャケース２７を開き、接続部収納トレイ１１のカバー１５を図１のように幹線側ファイバ導入側（図１で概ね右側）にスライドさせると、接続部収納トレイ１１におけるアダプタ１８よりドロップケーブル導入側領域が開放される。したがって、ドロップケーブル１９の光コネクタ１７をアダプタ１８に嵌合させる作業、すなわちドロップケーブル１９を幹線光ケーブル１側の光ファイバ４とコネクタ接続する作業を行うことができる。
その際、接続部収納トレイ１１の幹線側ファイバ導入側はカバー１５で覆われており露出しないので、幹線側ファイバ導入側領域にある光配線部品に接触する恐れはない。
一方、クロージャ敷設工事会社が幹線光ケーブル１から新たに光ファイバを取り出して空いているアダプタ１８に接続する時は、カバー１５を図２のようにドロップケーブル導入側（図２で概ね左側）にスライドさせると、幹線側心線側領域が開放されるので、幹線光ケーブル１側の光コネクタ１６をアダプタ１８に嵌合させる作業を行うことができる。
その際、ドロップケーブル側の光配線部品はカバー１５で覆われて露出しないので、ドロップケーブル側領域にある光配線部品に接触する恐れはない。
このように、カバー１５をスライドさせるだけで、引落し工事会社の作業領域及びクロージャ敷設工事会社の作業領域の一方のみを露出させることができるので、それぞれの工事会社の作業に際して、他の工事会社の作業領域の光配線部品に触れることなく作業を行うことができ、工事責任の明確化が有効に実現される。
また、図示例のカバー１５は、上から見て長方形をなしトレイ幅方向両側に低い壁部１５ａを持つ簡単な形状であり、接続部収納トレイ１１に単に被せて取り付けられるので、安価に製作できるとともに、着脱が容易である。
ただし、接続部収納トレイ１１上のアダプタ配置に応じて、その形状を適宜変更することは当然可能である。
また、カバーは、単に被せるだけで着脱可能な構造に限らず、例えば接続部収納トレイ１１側にヒンジを介して開閉可能に取り付けられかつスライド可能な構造とすることも考えられる。
【実施例２】
【００２１】
なお、図示例の光クロージャ２２は、吊り金具２９を介して支持線３０に吊持する支持方式であるが、光クロージャの支持方式は任意であり、光クロージャを単に幹線光ケーブル１に取り付けるだけの支持構造とすることもできる。
また、本発明の光クロージャは、幹線光ケーブルがＣ型スロットケーブル等の少心線の幹線光ケーブルである場合に好適であるが、幹線光ケーブルの心数や構造自体は任意である。
【図面の簡単な説明】
【００２２】
【図１】本発明の一実施例の光クロージャにおける接続部収納トレイを、カバーを一方側にスライドさせた状態で示した斜視図である。
【図２】図１の接続部収納トレイを、カバーを他方側にスライドさせた状態で示した斜視図である。
【図３】図１の接続部収納トレイを、カバーを外した状態で示した斜視図である。
【図４】上記接続部収納トレイをクロージャ筐体内に収容した本発明の一実施例の光クロージャの概略内部構造を示す図である。
【図５】上記光クロージャを適用する幹線光ケーブルの一例を示すもので、Ｃ型スロットケーブルの断面図である。
【符号の説明】
【００２３】
１  幹線光ケーブル（単スロット（Ｃ型スロット）ケーブル）：第１の光ケーブル）
２  スロットロッド
２ａ  スロット
３  シース
４  光ファイバ
１１  接続部収納トレイ
１２  底板
１２ａ  切欠き
１３  側壁
１５  カバー
１５ａ  壁部
１６  （幹線光ケーブル側の）光コネクタ
１７  （ドロップケーブル側の）光コネクタ
１８  アダプタ
１９  ドロップケーブル（分岐光ケーブル：第２の光ケーブル）
２２  光クロージャ
２３  連結棒
２４  ケーブル把持金具
２５  ドロップケーブル把持部
２６  アーム
２７  クロージャケース
２８  端面板
２９  吊り金具
３０  支持線
【図１】
2009008960.tif 000003
【図２】
2009008960.tif 000004
【図３】
2009008960.tif 000005
【図４】
2009008960.tif 000006
【図５】
2009008960.tif 000007